(57)【要約】      （修正有）【課題】環境に優しく、消毒，抗・除菌，消臭効果等に優れ、研磨の向上，選択性を可能にした研磨材を提供する。【解決手段】予め水に浸漬処理し、粉砕した多数の木・竹炭等の粒・粉状体３，４、おょび、硬質のバルーンタィプの無機質のシリカ７から成る骨材，木・竹酢液５，発泡剤８，アルカリ中和剤６，セメント２のバィンダー物質、さらには、水とを定率で混合してから、所定の型枠内に流し込み、任意の形状おょび大きさに硬化一体化させて作られる研摩材Ａの板体１表面１ａに被覆された硬化した皮膜層を除去処理し、表面１ａに木・竹炭等の粒・粉状体３，４，木・竹  酢液５おょび球形に近い中空体粒子の突起７ａを露出して形成されたものである。【選択図】図１
2005111232.tif 000002
【特許請求の範囲】
【請求項１】
水に浸漬処理し粉砕した木・竹炭類の粒・粉状体、ならびに、硬質のバルーンタィプの無機質シリカから成る骨材に、木・竹酢液，無機質系独立発泡剤，アルカリ中和剤，セメント、さらには、水を定率で混練してから、所定の型枠内に流し込み、任意の形状おょび大きさに硬化一体化させ、表面に被覆された皮膜層を除去処理して形成されたことを特徴とする研摩材。
【発明の詳細な説明】
【発明の詳細な説明】
【産業上の利用分野】
【０００１】  本発明は、料理包丁，鑿や鉋等の研磨には、最低三種類の砥石が必要となるのであるが、これ等三工程の研磨作業を一種類の砥石で対応可能、また、入浴時に於ける人体の一部、特に、肘，足裏等の皮膚に発生する堅固な角質層の除去を軽石に勝る簡便、かつ、人体の健康を保持する為の研摩材に関する。
【背景技術】
【０００２】  従来、飲食店や一般家庭の料理用包丁等刃物また鑿や鉋等の大工道具等の研磨作業は、通常、荒研ぎ，中研ぎ，仕上研ぎ三工程を要することから、荒研ぎ用，中研ぎ用，仕上研ぎ用として、それぞれ、専用の最低三種類の砥石が必要であるが、このことは刃物の切れ味を確保し、料理作業，建築作業の出来栄えや作業の能率を高める準備作業として、避けることの出来ない不可欠な要素であった。
また、人体の一部としての肘，足裏等の皮膚の表皮に出来る堅固な角質層の除去する方法としては、現在、一部天然素材を除いて、その多くは合成素材すなわちその成分が、それぞれ、無機質発泡体と硬質ウレタン樹脂等，酢醋ビニール樹脂とポリウレタンフォーム等，硬質ウレタン樹脂と銅微粒子等々の原材料の組み合わせから成る所謂人造の軽石で擦り取る方法が採られている。
以前の軽石は、火山噴火活動時に発生する大量のガス等が混入した様々な形状，大きさの気泡の痕跡を有する軟らかい石質体を適宜形状に切断すること出来るものであるが、しかしながら、天然素材から成る軽石は、石質が比較的柔らかなので、堅固に積層された角質層を長時間、または、使用頻度が高い場合にあっては、表面が擦り減ると共に、窪みの縁の鈍化等に依って、角質層の除去効果が著しく減少すると言う致命的欠点を有するので、この場合、新しく買い替えなければならないが、高価かつ入手し難くなっている。
したがって、最も安価かつ入手し安い人造軽石が使用される傾向にある現状にある。
【発明が解決しょうとする課題】
【０００３】  本発明は、軽石特に人造軽石の場合に於いて、特に人造軽石の合成素材から成る原材料に起因して生じる入浴時に於ける人肌の一部特に肘，足裏等皮膚に発生する角質層の除去効果を維持するための擦りに依る皮膚の表皮を損傷させ、所謂乾燥肌を生じせしめる等の問題点の改良を図ると共に、抗・除菌，消臭効果等に依って、人体の健康を保持し、かつ、環境に優しい研摩材を提供するにある。
【課題を解決するための手段】
【０００４】  本発明にあっては、構成素材が骨材としての粒・粉状体から成る粉砕した木・竹炭類、また、木・竹酢液，無機質バルーンタィプシリカ，無機質発泡剤，アルカリ中和剤，バィンダー物質としてのセメントさらには水を、それぞれ、定率で混合してから、所定の型枠内に流し込み、任意の形状，大きさに硬化一体化させ、表面に被覆された皮膜層を除去処理して研摩材が形成されるものである。
【作用】
【０００５】  本発明は、包丁等刃物，特に大工道具等の鑿や鉋等の研磨作業に於ける三工程の研磨作業を一種類の砥石で作業で対応が可能とすることに依って、研磨用具の簡便化を容易に可能ならしめるものである。
すなわち、本発明にあっては、包丁，鑿や鉋等の刃物の切り味の劣化，人肌の角質層の除去効果に減少を来した場合は、研摩材の表面同士を軽く適宜擦ることで、研摩材の表面の目詰まりが著しく更新され、表面の無数の独立発泡の気泡の切断に依って出来る窪みの縁すなわちエッジおょび木・竹炭類の粉状体や木・竹酢液等が露出、また、中空球粒子から成るバルーンタィプシリカが突起状態で突出するのであるが、特に露出した木・竹炭類の粉状体や木・竹酢液等にあっては、その成分が溶出することになるから、人造軽石の様な従来品の欠点を合理的に解決すると共に、特に木・竹炭類等の特性としての消毒，抗・除菌，消臭効果等、ならびに、木・竹酢液の特性としての人体内への浸透・吸収性と相俟って、新しい研摩材としての軽石の清潔を保持するにとどまらず、血行の促進，皮膚の美容，アトピーの改善，水虫治療等の幅広いスキンケア効果をも発揮することが期待出来得るので、単に従来の軽石の代替品ではなく、石油を主原材料とする所謂軽石との差別化し、人体や環境に優しい新たな研摩材の製品化を図り得るのである。
【実施例】
【０００６】  本発明を図示の実施例により説明する。
本発明の構成は、図１に示す様に、本発明研摩材Ａは、予め粉砕したした多数の木・竹炭等の粒・粉状体３，４，木・竹酢液５，硬質のバルーンタィプの無機質のシリカ７，松脂を主原料とする濃縮した無機質独立発泡剤８をセメント２、ならびに、低アルカリ性無機質化合物から成る塩基性塩化鉄（Ｆｅ２Ｃｌ６・ｎＦｅ２Ｏ３）を主成分とするち中和剤６等に水を加えて、定率で混合し、経時後には強固に接合され、被覆硬化した皮膜層（図示せず）を表面１ａに有する任意の形状例えば多角形の板体１に形成されるものである。
上記、粉砕した多数の木・竹炭等の粒・粉状体３，４の表面には、細かく連続した多孔質の孔から成る内部空隙が無数に空いており、表面積を合計すると、１ｇ当たり約２５０ｍ２にも上り、この無数の孔が外界に通じる空気や水の通路であり、また、孔が悪臭の原因となる有機物，有毒物質を吸着するのみならず、微生物が定着して、匂いの元を分解する。
この効果を保持するために、他の原材料との混練前に、粉砕した木・竹炭等の粒・粉状体３，４を、予め水槽等で浸漬処理することで、多孔質の孔から成る内部空隙内への吸着に依る目詰りを避け、孔内の有効表面積を確保しておく必要がある。
また、アルカリ中和剤６は低アルカリ性無機質化合物から成る塩基性塩化鉄（Ｆｅ２Ｃｌ６・ｎＦｅ２Ｏ３）から成り、その特徴は、セメント２の硬化初期に多核結晶を生成する核となり、硬化した皮膜を作るため、非透水能力を増大させる作用に依って、強度増強，防水，防湿性に効果を発揮し、同時に初期の硬化反応を促進させる作用に依り、白華現象を押え、過剰アルカリの中和を促進させることにある。
さらに、硬質のバルーンタィプの無機質のシリカ７は所謂シラスバルーンと称されるもので、珪酸おょび酸化アルミニウムを主成分とし、その固体は凡そ１２０メッシュ以下、それぞれ、独立した球形に近い中空体粒子から成るものである。
発泡剤８は、松脂の粉状体等を主体とした濃縮した無機質独立発泡タィプであって、上記原各材料に混入すなわち常温で空気に触れることで、起泡する性質があり、経時後、やや硬質の皮膜を有する自然の独立発泡８ａになるのである。
独立発泡８ａの形状は、ほぼ球形に近い中空体粒子，サィズは０．００５〜０．３．ｍｍ径程度である。
なお、これ等原材料の混合率の例としての嵩容積つまり容積比は、凡そ次の範囲内であるが、気温，日照度，湿度条件等の外的要素に依って、自ずから混合率が異なるのである。
セメント                            ６．０〜１１．０％
木・竹炭類                        １７．０〜２８．０％
水                                １０．０〜１７．０％
アルカリ中和剤                      ０．３〜  ０．６％
発泡剤                              ０．８〜  １．８％
シリカ                              １．７〜  ３．６％
木・竹酢液                          ５．０〜  ９．５％
空気（気泡）                      ４５．０〜２５．５％
また、本発明研摩材Ａを形成する任意の形状の板体１の表面１ａが、セメント２ならびに塩基性塩化鉄（Ｆｅ２Ｃｌ６・ｎＦｅ２Ｏ３）から成るアルカリ中和剤６で、硬く被覆された皮膜で形成されるので、この場合は、それぞれ、グラィンダー，ブラシ等で削成おょび研磨させることで、板体１の表面１ａに突出した状態で位置する無数の木・竹炭等の粒・粉状体３，４おょび独立発泡８ａの表面１ａに被覆された皮膜で形成されたバィンダー層を除去処理し、木・竹炭等の粒・粉状体３，４の一部を多数完全、かつ、斑状に露出させることで、無数の木・竹炭等の粒・粉状体３，４の多孔質の露出、ならびに、水平に切断された独立発泡８ａの切断位置に依って、それぞれ、独立発泡８ａは、深さの異なったお椀形の窪み８ｂになるから、木・竹炭等の特性を損なうことなく、また、窪み８ｂの縁８ｃが、いわば、スケートのエッジの役割すなわち刃先の効果を演出することになるものである。
さらには、表面１ａ付近に混在するシリカ７以外の本発明研摩材Ａを構成する他の原材料が減耗し、経時後は、研磨能力を減少することになるが、シリカ７は硬質のため、他の原材料に比して、減耗し難く、無数の独立した球形に近い中空体粒子の突起７ａとして残存し、研磨材Ａの能力を補うことになるものである。
しかしながら、長期使用に依って、図２の如く、表面１ａに突起したシリカ７の中空体粒子の突起７ａまでもが、ほぼ減耗してしまい、研摩材Ａの研磨効果を著しく向上させる必要がある場合には、本発明研摩材Ａの表面１ａ同士を互いに擦り合わせることで、図３に示す様に、双方の表面１ａ付近に混在する硬質のシリカ７の微小な中空体粒子の突起７ａおょび窪み８ｂ等が新たに造形されることになると共に、木・竹炭類の粒・粉状体３，４や木・竹酢液５等が露出、おょび、中空球粒子から成るバルーンタィプシリカ７が突起７ａ状態で突出するから、特に露出した木・竹炭類の粉状体４や木・竹酢液５等にあっては、その保有する成分が入浴時や湯や水等使用時に自然に溶出することになる。
窪み８ｂの縁８ｃを主体に球形に近い中空体粒子の突起７ａと相俟って、初期の研磨効果を創出し得るのみならず、さらに、表面１ａに無数の斑状に露出した木・竹炭等の粒・粉状体３，４の表面の細かく連続した多孔質の孔から成る内部空隙に水や植物性油分を適宜含浸させることで、研磨効果の微妙な調整が図れるのである。
特に、表面１ａ付近に露出したパウダー状の木・竹炭類の粉状体４や木・竹酢液５が湯や水等に溶け易く、したがって、本発明研摩材Ａは、木・竹炭類の粒・粉状体３，４等の特有の消毒，抗・除菌，消臭効果等、ならびに、木・竹酢液５の特性としての人体内への浸透・吸収性と相俟って、新たな研摩材としての清潔を保持することが容易、かつ、可能であるのにとどまらず、血行の促進，皮膚の美容，アトビーの改善，水虫治療等の幅広いスキンケア効果をも発揮することが期待出来得るものである。
なお、本発明にあっては、原材料の成分が上記内容で構成されており、嵩容積が凡そ上記の範囲内であるから、比重が０．６〜０．８程度と小さく，ＰＨも９前後と通常のＰＨ１１〜１２程度の温泉よりも低いＰＨの弱アルカリ性であるので、水に浮き軽く取り扱い易い上に、環境に優しい研摩材Ａである。
本発明は、刃物等の多様な研磨，外的要因に依る人肌の一部に出来る角質層等の除去に止まらず、その用途は、研摩材Ａの原材料、特に木・竹炭等の粒・粉状体３，４，シリカ７また発泡剤８等の粒度，量を適宜調整、また、表面１ａの状態を微調整例えば吸油・吸水率を調整することで機械工業，精密工業等の産業分野のみならず一般家庭の鍋釜等の研摩材すなわちクレンザーと称する合成研摩材に替わる環境に優しい汎用研磨材として、適用可能と成るものである。
【発明の効果】
【０００７】  本発明は、上記の如き、環境に優しい細かく連続した多孔質の孔から成る内部空隙が無数に空いた木・竹炭等の粒・粉状体，球形に近い中空体粒子から成る硬質のバルーンタィプの無機質のシリカ，松脂の粉状体等を主体とした濃縮した無機質独立発泡タィプの発泡剤おょび低アルカリ性無機質化合物から成るアルカリ中和剤等の特性をそれぞれ採り入れた研摩材であるから、消毒，抗・除菌，消臭効果等また減耗し難く、無数の独立した球形に近い中空体粒子の突起として残存することで、研磨材の能力を補うと共に、さらに加えて、木・竹酢液の特性としての人体内えの浸透・吸収性とに依って、研摩材の清潔を保持するにとどまらず、血行の促進，皮膚の美容，アトビーの改善，水虫治療等の幅広いスキンケア効果をも発揮することが期待出来得るものである。
【図面の簡単な説明】
【図１】    本発明の実施例の一部切欠拡大正面縦断面図
【図２】    本発明の実施例の使用後の状態を示す一部切欠拡大正面縦断面図
【図３】    本発明の実施例の表面の再研磨後の一部切欠拡大正面縦断面図
【符号の説明】
１．          板体
１ａ．        板体の表面
２．          セメント
３．          木・竹炭等の粒状体
４．          木・竹炭等の粉状体
５．          木・竹酢液
６．          アルカリ中和剤
７．          シリカ
７ａ．        中空体粒子の突起
８．          発泡剤
８ａ．        独立発泡
８ｂ．        窪み
８ｃ．        窪みの縁
Ａ．          研摩材
【図１】
2005111232.tif 000003
【図２】
2005111232.tif 000004
【図３】
2005111232.tif 000005